(57)【要約】      （修正有）【課題】複屈折や旋光性をもつ生体の組織、血液、分子などの物質の微小な旋光特性を無侵襲で高精度に測定できるＳＰＲ方式旋光測定装置を提供する。【解決手段】リング光干渉計のループ光路の途中に対向する偏光変換コリメータセットを設けそれに用いる偏光子１２、波長板およびファラデー回転素子１５−１，１５−２などの厚さをできるだけ薄型化することによって被測定検体内で散乱する散乱光を十分な信号対雑音比で受光するようにした。【選択図】図２
2012112906.tif 000002
【特許請求の範囲】
【請求項１】
光ファイバリング干渉計のリング光路内に配置した被測定物質配置部の表面に配置する被測定物質の円複屈折率を測定することができる表面プラズモン共鳴（ＳＰＲ）を起こすことができる共鳴光学系を備え、
ＳＰＲによるリング干渉計出力の変化を測定することによって該被測定物質の円複屈折率を測定することを特徴とするＳＰＲ方式旋光測定装置。
【請求項２】
請求項１に記載のＳＰＲ方式旋光測定装置において、
前記被測定物質配置部が金属薄膜であることを特徴とするＳＰＲ方式旋光測定装置。
【請求項３】
請求項２に記載のＳＰＲ方式旋光測定装置において、
前記金属薄膜が孔を周期的に配置してある金属膜であることを特徴とするＳＰＲ方式旋光測定装置。
【請求項４】
請求項３に記載のＳＰＲ方式旋光測定装置において、
前記金属薄膜の孔が円孔であることを特徴とするＳＰＲ方式旋光測定装置。
【請求項５】
請求項１〜４のいずれか１項に記載のＳＰＲ方式旋光測定装置において、
前記リング干渉計出力の変化が被測定物質の旋光度の変化に基づく変化であることを特徴とするＳＰＲ方式旋光測定装置。
【請求項６】
請求項１〜５のいずれか１項に記載のＳＰＲ方式旋光測定装置において、
前記リング干渉計出力の変化が被測定物質配置部の表面に配置した被測定物質に入射する直交円偏光の共鳴条件の違いに基づく変化であることを特徴とするＳＰＲ方式旋光測定装置。
【請求項７】
請求項１〜６のいずれか１項に記載のＳＰＲ方式旋光測定装置において、
前記リング干渉計出力の変化が被測定物質配置部の表面に配置した被測定物質に入射する直交円偏光の波長の違いに基づく変化であることを特徴とするＳＰＲ方式旋光測定装置。
【請求項８】
請求項１〜７のいずれか１項に記載のＳＰＲ方式旋光測定装置において、
前記共鳴光学系が、信号光の光路において、前記被測定物質配置部およびその表面に配置される被測定物質と、前記被測定物質配置部およびその表面に配置される被測定物質を挟んで配置される偏光変換光学系を有する光学系であることを特徴とするＳＰＲ方式旋光測定装置。
【請求項９】
請求項８に記載のＳＰＲ方式旋光測定装置において、
前記偏光変換光学系が前記リング光路を構成する偏光保持光ファイバの端部近傍にレンズと偏光板と偏光面回転非相反素子と偏光変換素子を配置した光学系であることを特徴とするＳＰＲ方式旋光測定装置。
【請求項１０】
請求項９に記載のＳＰＲ方式旋光測定装置において、
前記偏光面回転非相反素子が当該偏光面回転非相反素子の一方の側から信号光としての直線偏光ビームを入射させたときには当該信号光の偏光面を当該信号光の進行方向に向かって時計回りまたは反時計回りに所定角度だけ回転させ、当該偏光面回転非相反素子の他方の側から信号光としての直線偏光ビームを入射させたときには当該信号光の偏光面を当該信号光の進行方向に向かって前記一方の側から入射させた場合とは逆方向に所定角度だけ回転させるように作用する偏光面回転素子であることを特徴とするＳＰＲ方式旋光測定装置。
【請求項１１】
請求項９または１０に記載のＳＰＲ方式旋光測定装置において、
前記偏光面回転非相反素子が４５度ファラデー回転素子であり、前記偏光変換素子が４分の１波長板であることを特徴とするＳＰＲ方式旋光測定装置。
【請求項１２】
請求項１〜１１のいずれか１項に記載のＳＰＲ方式旋光測定装置において、
前記リング光路を構成する光ファイバ部分には同一の固有偏光モードの信号光が左右両方向に伝搬し、前記被測定物質の部分には前記ＳＰＲを起こす共鳴光学系の両端の光ファイバ部分から出射した信号光が互いに直交する円偏波状態で該ＳＰＲ部分に入射および反射することを特徴とするＳＰＲ方式旋光測定装置。
【請求項１３】
請求項１〜１２のいずれか１項に記載のＳＰＲ方式旋光測定装置において、
前記ＳＰＲを発生させる部分が石英基板上に厚さ５０ｎｍの金を蒸着しその金属膜に入射信号光の波長の数分の１の円孔を波長オーダの周期で正方格子状に配置した金属膜であることを特徴とするＳＰＲ方式旋光測定装置。
【請求項１４】
請求項１〜１３のいずれか１項に記載のＳＰＲ方式旋光測定装置において、
前記リング光路の入射部に光ファイバ型光位相変調器を設け、変調周波数に同期した光干渉系の出力を検出することによって当該ＳＰＲ部の表面に接触させた物質の旋光度を測定することを特徴とするＳＰＲ方式旋光度測定装置。
【請求項１５】
被測定物質の旋光度を測定する旋光測定システムに使用することができる光ファイバ共鳴光学系であって、
前記光ファイバ共鳴光学系は、被測定物質配置部と前記被測定物質配置部の表面に配置した被測定物質に互いに異なる方向から互いに直交する円偏光を入射させることができる偏光変換光学系を有する光学系であることを特徴とする光ファイバ共鳴光学系。
【請求項１６】
請求項１５に記載の光ファイバ共鳴光学系において、
前記偏光変換光学系が偏光保持光ファイバの端部近傍にレンズと偏光板と偏光面回転非相反素子と偏光変換素子を配置した光学系であることを特徴とする光ファイバ共鳴光学系。
【請求項１７】
請求項１６に記載の光ファイバ共鳴光学系において、
前記偏光面回転非相反素子が当該偏光面回転非相反素子の一方の側から信号光としての直線偏光ビームを入射させたときには当該信号光の偏光面を当該信号光の進行方向に向かって時計回りまたは反時計回りに所定角度だけ回転させ、
当該偏光面回転非相反素子の他方の側から信号光としての直線偏光ビームを入射させたときには当該信号光の偏光面を当該信号光の進行方向に向かって前記一方の側から入射させた場合とは逆方向に所定角度だけ回転させるように作用する偏光面回転素子であることを特徴とする光ファイバ共鳴光学系。
【請求項１８】
請求項１６または１７に記載の光ファイバ共鳴光学系において、
前記偏光面回転非相反素子が４５度ファラデー回転素子であり、前記偏光変換素子が４分の１波長板であることを特徴とする光ファイバ共鳴光学系。
【請求項１９】
光ファイバリング干渉計のリング光路内に配置した被測定物質配置部の表面に配置する被測定物質の円複屈折率を測定することができる表面プラズモン共鳴（ＳＰＲ）を起こすことができる光ファイバ共鳴光学系を用いて該被測定物質のＳＰＲによるリング干渉計出力の変化を測定することによって該被測定物質の円複屈折率を測定することを特徴とする旋光測定方法。
【請求項２０】
請求項１９に記載の旋光測定方法において、
前記偏光変換光学系が偏光保持光ファイバの端部近傍にレンズと偏光板と偏光面回転非相反素子と偏光変換素子を配置した光学系であることを特徴とする旋光測定方法。
【請求項２１】
請求項２０に記載の旋光測定方法において、
前記光ファイバ共鳴光学系が、被測定物質配置部と前記被測定物質配置部の表面に配置した被測定物質に互いに異なる方向から互いに直交する円偏光を入射させることができる偏光変換光学系を有する光学系であることを特徴とする旋光測定方法。
【請求項２２】
請求項２１に記載の旋光測定方法において、
前記偏光面回転非相反素子が当該偏光面回転非相反素子の一方の側から信号光としての直線偏光ビームを入射させたときには当該信号光の偏光面を当該信号光の進行方向に向かって時計回りまたは反時計回りに所定角度だけ回転させ、当該偏光面回転非相反素子の他方の側から信号光としての直線偏光ビームを入射させたときには当該信号光の偏光面を当該信号光の進行方向に向かって前記一方の側から入射させた場合とは逆方向に所定角度だけ回転させるように作用する偏光面回転素子であることを特徴とする旋光測定方法。
【請求項２３】
請求項２１または２２に記載の旋光測定方法において、
前記偏光面回転非相反素子が４５度ファラデー回転素子であり、前記偏光変換素子が４分の１波長板であることを特徴とする旋光測定方法。
【請求項２４】
請求項１９〜２３のいずれか１項に記載の旋光測定方法において、
前記被測定物質配置部が金属薄膜であることを特徴とする旋光測定方法。
【請求項２５】
請求項２４に記載の旋光測定方法において、
前記金属薄膜が孔を周期的に配置してある金属膜であることを特徴とする旋光測定方法。
【請求項２６】
請求項２５に記載の旋光測定方法において、
前記金属薄膜の孔が円孔であることを特徴とする旋光測定方法。
【請求項２７】
請求項１９〜２６のいずれか１項に記載の旋光測定方法において、
前記リング光路を構成する光ファイバ部分には同一の固有偏光モードの信号光が左右両方向に伝搬させ、前記被測定物質の部分には前記ＳＰＲを起こす共鳴光学系の両端の光ファイバ部分から出射した信号光が互いに直交する円偏波状態で該ＳＰＲ部分に入射および反射させることを特徴とする旋光測定方法。
【請求項２８】
請求項１９〜２７のいずれか１項に記載の旋光測定方法において、
前記ＳＰＲを発生させる部分が石英基板上に厚さ５０ｎｍの金を蒸着しその金属膜に入射信号光の波長の数分の１の円孔を波長オーダの周期で正方格子状に配置した金属膜であることを特徴とする旋光測定方法。
【請求項２９】
請求項１９〜２８のいずれか１項に記載の旋光測定方法において、
前記リング光路の入射部に光ファイバ型光位相変調器を設け、変調周波数に同期した光干渉系の出力を検出することによって当該ＳＰＲ部の表面に接触させた物質の旋光度を測定することを特徴とする旋光測定方法。
【発明の詳細な説明】
【技術分野】
【０００１】
本発明はＳＰＲ方式旋光測定装置および光ファイバ共鳴光学系ならびにそれを用いた旋光測定方法に関し、例えば，被検体の旋光特性を解析することにより旋光性を持つ生体や組織、血液、分子などの存在やその含有量を高精度に検出することができるＳＰＲ方式旋光測定装置および旋光測定システムに使用することができる光ファイバ共鳴光学系ならびにそれを用いた旋光測定方法に関し、例えばさらに具体的に言えば、表面プラズモン共鳴（ＳＰＲ）を利用して、被検者から採血することなく人体の血液、唾液や特定の生体組織に含まれる旋光性の物質の旋光度を高精度に測定できるＳＰＲ方式旋光測定装置および旋光測定システムに使用することができる光ファイバ共鳴光学系ならびにそれを用いた旋光測定方法に関する。
【背景技術】
【０００２】
現行の血糖値の測定方法はグルコースオキシダーゼ（ＧＯＤ）法と呼ばれるもので、試薬の中にＧＯＤとフェリシアン化カリウムを含ませ血液中のブドウ糖と特異的に反応させグルコン酸と電子を発生させる。これに一定の電圧を加えると電流が発生し、この電流が血液中のブドウ糖濃度に比例することを応用した血糖値の測定方法である。
【０００３】
しかし、患者によっては試薬や針などのランニングコストが年間１０万円以上必要であることや試験後の採血針の処理や採血を嫌がる患者がいることなどの問題がある。
【０００４】
このような背景から、採血せずに血糖値を測定するいわゆる無侵襲の血糖値測定法が永らく求められている。
【０００５】
従来の光方式の無侵襲血糖値測定方法は特許文献１に記載があるような、指などの生体の一部に赤外レーザ光を照射し、血管からの散乱光を分光し、血液に含まれるグルコースを測定するものである。これはグルコース濃度に比例して散乱光が低減する原理を利用している。この方法は散乱光の光強度が体温や皮膚の水分や油成分量などに依存し測定値がばらつくことから実際には実用化されていない。
【０００６】
侵襲方式で血糖値を高精度に測定する方法は特許文献２に示す複屈折率測定装置で測定する方法がある。この方法は干渉計のリングに非相反光学系を設け、被検体をその内部において検体の旋光度を計測するもので、その実施例に波長８００ｎｍ帯の光源が使用されている。この方法では健常者の血糖値レベルである０．１ｇ／ｄＬと同等の濃度のグルコース溶液を厚さ１０ｍｍ程度の検体で十分な精度で測定することができるが、検体が生体の場合には生体内の光の散乱損失の影響で無侵襲では十分なグルコース濃度の測定精度が得られない。
【０００７】
生体の血糖値の測定は極めて難しい課題で、これまで多くの試みがなされてきたが、特許文献２に記載の方法の他には全く実用レベルの測定精度が得られず、果物の糖度の測定には実用化されても、生体の血糖値の測定は無理と思われてきた。
【０００８】
【先行技術文献】
【特許文献】
【０００９】
【特許文献１】特開２００４−３１３５５４号公報
【特許文献２】特開２００５−２７４３８０号公報
【発明の概要】
【発明が解決しようとする課題】
【００１０】
特許文献２に記載の方法の提案で、ようやく健常者の血糖値レベルである０．１ｇ／ｄＬと同等の濃度のグルコース溶液のグルコース濃度を厚さ１０ｍｍ程度の検体で十分な精度で測定することができるようになった。しかし、この方法でさえも生体の血糖値を無侵襲で測定できず、糖尿病の患者は毎日採血して測定しなければならないという苦痛を強いられているのが現状である。
【００１１】
血糖値の測定装置の開発には多大な費用と努力を必要とする。現在の技術水準から、人の血糖値を無侵襲で測定できる可能性は極めて低いとみなされているのが実状であり、測定装置の開発発表も測定方式の提案もない。
【００１２】
本発明はこのような現状に鑑みてなされたものであり、本発明が解決しようとする課題は、従来の光方式旋光測定装置の感度を大幅に改善した血液、血管、組織、分子などに含まれる旋光物質の存在やその含有量を無侵襲で高精度に検出することができる旋光測定装置を提供することにある。
【課題を解決するための手段】
【００１３】
係る課題を解決するためになされた本発明に係る一発明の実施の形態例の旋光測定装置の特筆すべき特徴は、金属と誘電体の界面に存在する電子の粗密波である表面プラズモンの共鳴（ＳＰＲ）の原理を応用し、入射する直交円偏光の共鳴条件の違いをリング干渉系の出力変化として測定する新規の測定方法を創出したところにある。以下、本発明に係る一発明の実施の形態例を具体的に説明する。
【００１４】
課題を解決するためになされた本発明に係る一発明の例としての第１の発明（以下、発明１という）は、光ファイバリング干渉計のリング光路内に配置した被測定物質配置部の表面に配置する被測定物質の円複屈折率を測定することができるＳＰＲを起こすことができる共鳴光学系を備え、ＳＰＲによるリング干渉計出力の変化を測定することによって該被測定物質の円複屈折率を測定することを特徴とするＳＰＲ方式旋光測定装置の発明である。
【００１５】
発明１を展開してなされた本発明の他の一例としての第２の発明（以下、発明２という）は、発明１に記載のＳＰＲ方式旋光測定装置において、前記被測定物質配置部が金属薄膜であることを特徴とするＳＰＲ方式旋光測定装置の発明である。
【００１６】
発明２を展開してなされた本発明の更に他の一例としての第３の発明（以下、発明３という）は、発明２に記載のＳＰＲ方式旋光測定装置において、前記金属薄膜が孔を周期的に配置してある金属膜であることを特徴とするＳＰＲ方式旋光測定装置の発明である。
【００１７】
発明３を展開してなされた本発明の他に一例としての第４の発明（以下、発明４という）は、発明３に記載のＳＰＲ方式旋光測定装置において、前記金属薄膜の孔が円孔であることを特徴とするＳＰＲ方式旋光測定装置の発明である。
【００１８】
発明１〜４を展開してなされた本発明の更に他の一例としての第５の発明（以下、発明５という）は、発明１〜４のいずれかに記載のＳＰＲ方式旋光測定装置において、前記リング干渉計出力の変化が被測定物質の旋光度の変化に基づく変化であることを特徴とするＳＰＲ方式旋光測定装置の発明である。
【００１９】
発明１〜５を展開してなされた本発明の他の一例としての第６の発明（以下、発明６という）は、発明１〜５のいずれかに記載のＳＰＲ方式旋光測定装置において、前記リング干渉計出力の変化が被測定物質配置部の表面に配置した被測定物質に入射する直交円偏光の共鳴条件の違いに基づく変化であることを特徴とするＳＰＲ方式旋光測定装置の発明である。
【００２０】
発明１〜６を展開してなされた本発明の更に他の一例としての第７の発明（以下、発明７という）は、発明１〜６のいずれかに記載のＳＰＲ方式旋光測定装置において、前記リング干渉計出力の変化が被測定物質配置部の表面に配置した被測定物質に入射する直交円偏光の波長の違いに基づく変化であることを特徴とするＳＰＲ方式旋光測定装置の発明である。
【００２１】
発明１〜７を展開してなされた本発明の他の一例としての第８の発明（以下、発明８という）は、発明１〜７のいずれかに記載のＳＰＲ方式旋光測定装置において、前記共鳴光学系が、信号光の光路において、前記被測定物質配置部およびその表面に配置される被測定物質と、前記被測定物質配置部およびその表面に配置される被測定物質を挟んで配置される偏光変換光学系を有する光学系であることを特徴とするＳＰＲ方式旋光測定装置の発明である。
【００２２】
発明８を展開してなされた本発明の更に他の一例としての第９の発明（以下、発明９という）は、発明８に記載のＳＰＲ方式旋光測定装置において、前記偏光変換光学系が前記リング光路を構成する偏光保持光ファイバの端部近傍にレンズと偏光板と偏光面回転非相反素子と偏光変換素子を配置した光学系であることを特徴とするＳＰＲ方式旋光測定装置の発明である。
【００２３】
発明９を展開してなされた本発明の他の一例としての第１０の発明（以下、発明１０という）は、発明９に記載のＳＰＲ方式旋光測定装置において、前記偏光面回転非相反素子が当該偏光面回転非相反素子の一方の側から信号光としての直線偏光ビームを入射させたときには当該信号光の偏光面を当該信号光の進行方向に向かって時計回りまたは反時計回りに所定角度だけ回転させ、当該偏光面回転非相反素子の他方の側から信号光としての直線偏光ビームを入射させたときには当該信号光の偏光面を当該信号光の進行方向に向かって前記一方の側から入射させた場合とは逆方向に所定角度だけ回転させるように作用する偏光面回転素子であることを特徴とするＳＰＲ方式旋光測定装置の発明である。
【００２４】
発明９または１０を展開してなされた本発明の更に他の一例としての第１１の発明（以下、発明１１という）は、発明９または１０に記載のＳＰＲ方式旋光測定装置において、前記偏光面回転非相反素子が４５度ファラデー回転素子であり、前記偏光変換素子が４分の１波長板であることを特徴とするＳＰＲ方式旋光測定装置の発明である。
【００２５】
発明１〜１１を展開してなされた本発明の他の一例としての第１２の発明（以下、発明１２という）は、発明１〜１１のいずれかに記載のＳＰＲ方式旋光測定装置において、前記リング光路を構成する光ファイバ部分には同一の固有偏光モードの信号光が左右両方向に伝搬し、前記被測定物質の部分には前記ＳＰＲを起こす共鳴光学系の両端の光ファイバ部分から出射した信号光が互いに直交する円偏波状態で該ＳＰＲ部分に入射および反射することを特徴とするＳＰＲ方式旋光測定装置の発明である。
【００２６】
発明１〜１２を展開してなされた本発明の更に他の一例としての第１３の発明（以下、発明１３という）は、発明１〜１２のいずれかに記載のＳＰＲ方式旋光測定装置において、前記ＳＰＲを発生させる部分が石英基板上に厚さ５０ｎｍの金を蒸着しその金属膜に入射信号光の波長の数分の１の円孔を波長オーダの周期で正方格子状に配置した金属膜であることを特徴とするＳＰＲ方式旋光測定装置の発明である。
【００２７】
発明１〜１３を展開してなされた本発明の他の一例としての第１４の発明（以下、発明１４という）は、発明１〜１３のいずれかに記載のＳＰＲ方式旋光測定装置において、前記リング光路の入射部に光ファイバ型光位相変調器を設け、変調周波数に同期した光干渉系の出力を検出することによって当該ＳＰＲ部の表面に接触させた物質の旋光度を測定することを特徴とするＳＰＲ方式旋光度測定装置の発明である。
【００２８】
課題を解決するためになされた本発明の他の一例としての第１５の発明（以下、発明１５という）は、被測定物質の旋光度を測定する旋光測定システムに使用することができる光ファイバ共鳴光学系の発明で、前記光ファイバ共鳴光学系は、被測定物質配置部と前記被測定物質配置部の表面に配置した被測定物質に互いに異なる方向から互いに直交する円偏光を入射させることができる偏光変換光学系を有する光学系であることを特徴とする光ファイバ共鳴光学系である。
【００２９】
発明１５を展開してなされた本発明の他の一例としての第１６の発明（以下、発明１６という）は、発明１５に記載の光ファイバ共鳴光学系において、前記偏光変換光学系が偏光保持光ファイバの端部近傍にレンズと偏光板と偏光面回転非相反素子と偏光変換素子を配置した光学系であることを特徴とする光ファイバ共鳴光学系の発明である。
【００３０】
発明１６を展開してなされた本発明の更に他の一例としての第１７の発明（以下、発明１７という）は、発明１６に記載の光ファイバ共鳴光学系において、前記偏光面回転非相反素子が当該偏光面回転非相反素子の一方の側から信号光としての直線偏光ビームを入射させたときには当該信号光の偏光面を当該信号光の進行方向に向かって時計回りまたは反時計回りに所定角度だけ回転させ、当該偏光面回転非相反素子の他方の側から信号光としての直線偏光ビームを入射させたときには当該信号光の偏光面を当該信号光の進行方向に向かって前記一方の側から入射させた場合とは逆方向に所定角度だけ回転させるように作用する偏光面回転素子であることを特徴とする光ファイバ共鳴光学系の発明である。
【００３１】
発明１６または１７を展開してなされた本発明の一例としての第１８の発明（以下、発明１８という）は、発明１６または１７に記載の光ファイバ共鳴光学系において、前記偏光面回転非相反素子が４５度ファラデー回転素子であり、前記偏光変換素子が４分の１波長板であることを特徴とする光ファイバ共鳴光学系の発明である。
【００３２】
課題を解決するためになされた本発明の他の一例としての第１９の発明（以下、発明１９という）は、光ファイバリング干渉計のリング光路内に配置した被測定物質配置部の表面に配置する被測定物質の円複屈折率を測定することができるＳＰＲを起こすことができる光ファイバ共鳴光学系を用いて該被測定物質のＳＰＲによるリング干渉計出力の変化を測定することによって該被測定物質の円複屈折率を測定することを特徴とする旋光測定方法の発明である。
【００３３】
発明１９を展開してなされた本発明の更に他の一例としての第２０の発明（以下、発明２０という）は、発明１９に記載の旋光測定方法において、前記偏光変換光学系が偏光保持光ファイバの端部近傍にレンズと偏光板と偏光面回転非相反素子と偏光変換素子を配置した光学系であることを特徴とする旋光測定方法の発明である。
【００３４】
発明２０を展開してなされた本発明の他の一例としての第２１の発明（以下、発明２１という）は、発明２０に記載の旋光測定方法において、前記光ファイバ共鳴光学系が、被測定物質配置部と前記被測定物質配置部の表面に配置した被測定物質に互いに異なる方向から互いに直交する円偏光を入射させることができる偏光変換光学系を有する光学系であることを特徴とする旋光測定方法の発明である。
【００３５】
発明２１を展開してなされた本発明の更に他の一例としての第２２の発明（以下、発明２２という）は、発明２１に記載の旋光測定方法において、前記偏光面回転非相反素子が当該偏光面回転非相反素子の一方の側から信号光としての直線偏光ビームを入射させたときには当該信号光の偏光面を当該信号光の進行方向に向かって時計回りまたは反時計回りに所定角度だけ回転させ、当該偏光面回転非相反素子の他方の側から信号光としての直線偏光ビームを入射させたときには当該信号光の偏光面を当該信号光の進行方向に向かって前記一方の側から入射させた場合とは逆方向に所定角度だけ回転させるように作用する偏光面回転素子であることを特徴とする旋光測定方法の発明である。
【００３６】
発明２１または２２を展開してなされた本発明の他の一例としての第２３の発明（以下、発明２３という）は、発明２１または２２に記載の旋光測定方法において、前記偏光面回転非相反素子が４５度ファラデー回転素子であり、前記偏光変換素子が４分の１波長板であることを特徴とする旋光測定方法の発明である。
【００３７】
発明１９〜２３を展開してなされた本発明の他の一例としての第２４の発明（以下、発明２４という）は、発明１９〜２３のいずれかに記載の旋光測定方法において、前記被測定物質配置部が金属薄膜であることを特徴とする旋光測定方法の発明である。
【００３８】
発明２４を展開してなされた本発明の更に他の一例としての第２５の発明（以下、発明２５という）は、発明２４に記載の旋光測定方法において、前記金属薄膜が孔を周期的に配置してある金属膜であることを特徴とする旋光測定方法の発明である。
【００３９】
発明２５を展開してなされた本発明の他の一例としての第２６の発明（以下、発明２６という）は、発明２５に記載の旋光測定方法において、前記金属薄膜の孔が円孔であることを特徴とする旋光測定方法の発明である。
【００４０】
発明１９〜２６を展開してなされた本発明の更に他の一例としての第２７の発明（以下、発明２７という）は、発明１９〜２６のいずれかに記載の旋光測定方法において、前記リング光路を構成する光ファイバ部分には同一の固有偏光モードの信号光が左右両方向に伝搬させ、前記被測定物質の部分には前記ＳＰＲを起こす共鳴光学系の両端の光ファイバ部分から出射した信号光が互いに直交する円偏波状態で該ＳＰＲ部分に入射および反射させることを特徴とする旋光測定方法の発明である。
【００４１】
発明１９〜２７を展開してなされた本発明の他の一例としての第２８の発明（以下、発明２８という）は、発明１９〜２７のいずれかに記載の旋光測定方法において、前記ＳＰＲを発生させる部分が石英基板上に厚さ５０ｎｍの金を蒸着しその金属膜に入射信号光の波長の数分の１の円孔を波長オーダの周期で正方格子状に配置した金属膜であることを特徴とする旋光測定方法の発明である。
【００４２】
発明１９〜２８を展開してなされた本発明の更に他の一例としての第２９の発明は、発明１９〜２８のいずれかに記載の旋光測定方法において、前記リング光路の入射部に光ファイバ型光位相変調器を設け、変調周波数に同期した光干渉系の出力を検出することによって当該ＳＰＲ部の表面に接触させた物質の旋光度を測定することを特徴とする旋光測定方法の発明である。
【発明の効果】
【００４３】
本発明の第１の効果は、その原理が光の干渉とＳＰＲを利用しているので、非常に高精度に生体の表面部分の旋光度を無侵襲で測定でき、被検者の血糖値が推定することができることである。
【００４４】
第２の効果は、従来の光方式の無侵襲方式血糖値測定が生体からの散乱光、すなわち光の強度のスペクトルを解析するため温度や水分や油などの含有量に影響されるのに対し、本発明の方法では光の偏光面の回転に依存する光の位相変化に依存するため安定した測定ができ、測定精度を大幅に向上させることができることである。
【００４５】
第３の効果は、いつでもどこでも簡単に血糖値が測定でき、従来の採血方式で必要であった針や試薬などの消耗品が必要なく、採血の苦痛から解放される上にランニングコストが不要になることである。第４の効果は、採血針などの医療廃棄物を処理する必要がなくなることである。
【図面の簡単な説明】
【００４６】
【図１】従来のＳＰＲ測定装置の原理図である。
【図２】本発明に係る一実施の形態例としてのＳＰＲ型旋光度測定装置の全体構成図である。
【符号の説明】
【００４７】
１：プリズム
２−１，２−２：金属膜
３：被測定物質
４−１：入射Ｐ偏光
４−２：入射右円偏光
４−３：入射左円偏光
【００４８】
５：入射角度
６：表面プラズモン電界
７：反射光
８−１，８−２，８−３：受光器
９：波長可変光源
【００４９】
１０−１：シングルモード光ファイバ
１０−２：偏光保持光ファイバ
１１−１，１１−２：方向性結合器
１２：偏光子
１３：位相変調器
１３−１，１３−２：レンズ
１４：信号処理部
１４−１，１４−２：偏光板
１５：変調信号
１５−１，１５−２：偏光面回転非相反素子としての４５度ファラデー回転素子
１６−１，１６−２：４分の１波長板
１７：電気信号出力
【発明を実施するための形態】
【００５０】
以下、図面を参照して本発明に係る一実施の形態の例について説明する。なお、説明に用いる各図は本発明に係る一発明の実施の形態例を理解できる程度に各構成成分の寸法、形状、配置関係などを概略的に示してある。
【００５１】
そして以下の説明の都合上、部分的に拡大率を変えて図示する場合もあり、本発明にかかる一発明の実施の形態例の説明に用いる図は、必ずしも実際の実施例などの実物や記述と相似形でない場合もある。また、各図において、同様な構成成分については同一の番号を付けて示し、重複する説明を省略することもある。
【００５２】
また、本発明の説明では、旋光測定装置および旋光測定方法ならびに旋光度測定システムに使用することができる光学系それぞれの説明で重複する部分がかなり多い。そこで、説明の重複を避けるため、誤解を生じないようにしつつ、特に言及せずに、光学系の説明で旋光度測定装置や旋光度測定方法の部分的説明を兼ねたり、その逆のこともある。
【００５３】
はじめに図１に従来のＳＰＲ測定装置の原理図を示す。ＳＰＲ装置は、プリズム１の上に４０〜５０ｎｍの厚さの金（Ａｕ）の膜２−１を蒸着し、その上に被測定物質３を乗せ、プリズム１の下の方からＰ偏光４−１を角度θで入射し、入射角度または波長を変化させるとある入射角度または波長で共鳴電界（表面プラズモン電界）６が発生し、この時エバネッセント波が被測定物質３の方向に抜けていくため、反射光７を受光器８−１で受けると角度対反射光量の特性にディップが発生する。
【００５４】
このディップの位置で物質３の円複屈折率を測定することができる。この方法では入射光はＰ偏光が望ましく、また、物質３の屈折率の実数部、すなわち通常の屈折率が測定できる。しかし、従来のＳＰＲ方式では物質の旋光度は測れない。
【００５５】
これに対して、本発明に係る一実施の形態例としてのＳＰＲ方式旋光測定装置は、光ファイバリング干渉計のリング光路内に表面に設置する被測定物質の円複屈折率を測定できる表面プラズモン共鳴（ＳＰＲ）を起こす共鳴光学系を備え、該ＳＰＲによるリング干渉系出力の変化を測定することによって該被測定物質の旋光度を測定することを特徴としている。
【００５６】
図２は本発明に係る一実施の形態例としてのＳＰＲ方式旋光測定装置の全体構成図である。図２と図１の従来のＳＰＲ方式との第１の違いは、図１の従来のＳＰＲ方式では被測定物質に１つの方向からＰ偏光が入射して生じるＳＰＲ現象を測定するのに対して、図２の本発明に係る一実施の形態例としてのＳＰＲ方式旋光測定装置では信号光のリング光路上において被測定物質に両方向から右円偏光４−２と左円偏光４−３とを入射させて被測定物質における旋光を測定すること、第２の違いは入射光４−２、４−３がリング干渉系を両方向に伝搬するということ、第３の違いは図２の本発明に係る一実施の形態例における金属膜２−２が単なるフラットな金属膜ではなく厚さが４０ｎｍで半径３５０ｎｍの円孔を周期１３００ｎｍで正方格子状に配置されている金属膜であることなどである。金属膜２−２に周期構造の円孔を設けることによって円偏光が金属膜を透過しやすく、また光の進行方向の直角方向の電界と透過光との共鳴を起こしやすくした。本発明の実施の形態例では波長可変光源９から出射したレーザ光はシングルモード光ファイバ１０−１に入射され、第１の方向性結合器１１−１、偏光子１２、第２の方向性結合器１１−２を経て分岐され、リング光路を両方向に伝搬する。
【００５７】
該方向性結合器およびリング光路の光ファイバは偏光保持光ファイバ１０−２から構成される。２つに分岐された光は各偏光保持光ファイバから共鳴光学系を構成する各偏光変換光学系に導かれ、それぞれ前記各偏光変換光学系を構成するレンズ１３−１，１３−２でコリメートされ、偏光板１４−１，１４−２で直線偏光の純度を高め、偏光面回転非相反素子としての４５度ファラデー回転素子１５−１，１５−２および偏光変換素子としての４分の１波長板１６−１，１６−２によってそれぞれ直交する円偏光に変換されてプリズム１に入射する。
【００５８】
金属膜２−２で反射された光は、前記第２の方向性結合器１１−２で半分が受光器８−２に導かれ、残り半分が前記第１の方向性結合器１１−１で受光器８−３に導かれる。リング光路の入射端には光ファイバ型の位相変調器１３が設置され、正弦波状の変調信号１５が信号処理部１４から印加される。この例で、変調周波数は２０ＫＨｚとした。なお、リング光路の光ファイバ長は１００ｍとした。
【００５９】
光源９は１３００ｎｍ〜１６００ｎｍの波長帯が選択できる波長可変光源を用いたが、ＳＬＤ（Ｓｕｐｅｒ  Ｌｕｍｉｎｅｓｃｅｎｔ  Ｄｉｏｒｄ）などの広帯域光源と波長可変フィルタを用いてもよい。入射角度θは２０度とした。
【００６０】
ここで、前記偏光面回転非相反素子は当該偏光面回転非相反素子の一方の側から信号光としての直線偏光ビームを入射させたときには当該信号光の偏光面を当該信号光の進行方向に向かって時計回りまたは反時計回りに所定角度だけ回転させ、当該偏光面回転非相反素子の他方の側から信号光としての直線偏光ビームを入射させたときには当該信号光の偏光面を当該信号光の進行方向に向かって前記一方の側から入射させた場合とは逆方向に所定角度だけ回転させるように作用する偏光面回転素子である。前記偏光変換素子は直線偏光を円偏光に変換する素子である。
【００６１】
前記各偏光変換光学系はそれぞれ各偏光保持光ファイバの端部に配置されたレンズ１３−１，１３−２、偏光板１４−１，１４−２、４５度ファラデー回転素子１５−１，１５−２、４分の１波長板１６−１，１６−２を有している。リング光路を構成する各前記偏波面保存光ファイバ内では同一の偏光モードで伝搬する右回り信号光と左回り信号光が、前記各偏光変換光学系部分に置かれた被測定物質の部分においては互いに直交する円偏光状態で伝搬するように各偏波面保存光ファイバ、偏光回転非相反素子、偏光変換素子相互の固有偏光軸が調整されている。前記共鳴光学系は、前記リング光路に挿入された前記各偏光変換光学系と光路においてその間に配置された前記金属薄膜ならびに被測定物質を含む光学系である。
【００６２】
つぎに、金属膜２−２の上に被測定物質３としての指を乗せた場合の本発明ＳＰＲ方式旋光測定装置で検出される原理を説明する。
【００６３】
金属膜２−２に入射した左右円偏光は、該金属膜２−２を透過しエバネッセント波として金属表面の電界と共鳴する。これらのエバネッセント波は指の表皮に侵入し、生体に特有の散乱を受け、一部は反射し金属膜表面に戻ってくる。
【００６４】
ここで波長可変レーザ９の波長をスキャンすると、ある波長１で右回り円偏光が共鳴し、ある波長２で左回り円偏光が共鳴する。したがって、波長１と波長２が異なる波長の場合、波長１と波長２とでは左右両周り光の強度が異なってくる。この干渉バランスの崩れを信号処理部１４によって出力電気信号１７に変換する。
【００６５】
指に旋光性の物質があれば指の誘電率が左右円偏光に対して異なった特性を有するので波長１と波長２で干渉系の出力に変化が発生する。
【００６６】
本発明に係る一実施の形態例におけるＳＰＲ方式旋光測定装置のもう一つの信号検出原理は、金属表面の横方向に発生する電界と左右円偏光の共鳴によって左右伝搬光に位相差が発生することである。
【００６７】
本発明に係る一実施例では信号光の波長を１５００ｎｍ近傍に固定し、金属膜２−２の上に指を乗せた場合と空気の場合の左右両周り光に１ｘ１０-4度程度の位相差が発生した。これは指の表皮に含まれる旋光物質の影響であると推測できる。したがって本発明によるＳＰＲ方式旋光測定値と従来の血糖値測定方法で測定した血糖値を比較することによって無侵襲に血糖値が測定できるものと推測できる。
【００６８】
以上、本発明に係る一実施の形態例としての旋光度測定装置、光学系、その光学系を用いた旋光度測定方法を図を参照しながら説明したが、本発明に係る一実施の形態例の前記各構成は、それぞれ単独で用いても本発明の効果を発揮することができ、種々組み合わせても本発明の効果を発揮することができるものであるのみならず、本発明はこれに狭く限定されるものでなく、本発明の技術思想に基づいて多くのバリエーションを可能とするものである。
【産業上の利用可能性】
【００６９】
本実施の形態例の旋光測定装置は、複屈折や旋光性を有する被測定物の状態を高精度に調べることができるもので、特に、生体や組織、血液、分子などの存在やその含有量を無侵襲に高精度に検出することができ、医療分野や健康分野などにおいて広く利用できるものである。本発明の旋光測定のように無侵襲で血糖値を測定できれば、第１に、被検者が採血の痛みから解放されること、第２に、採血しないので衛生的であることに加えて採血器具等を介する病気の感染が防げること、第３に、酵素を使わないので経済的であること、第４に、注射針や酵素などの廃棄物がでないこと等の極めて大きな効果がもたらされるので、本発明は前記例示に限らず、極めて広い分野で利用され得るものである。
【図１】
2012112906.tif 000003
【図２】
2012112906.tif 000004